(57)【要約】【課題】消費電力および製造コストを低減することができる表示状態変更用眼鏡および表示状態変更用眼鏡対応の表示装置を提供する。【解決手段】映像表示装置に表示される映像を視聴者に対し、映像を表示状態と非表示状態とに切り替えることが可能な左目用レンズ１４ａおよび右目用レンズ１４ｂを有する映像用眼鏡１０である。左目用レンズ１４ａおよび右目用レンズ１４ｂは、それぞれ、透明基板と、透明基板上に配置された、シャッター機能膜を含むシャッター機能層と、を備え、シャッター機能膜の光学定数は、シャッター機能膜への電圧印加の有無に起因して変動し、その光学定数の変動に応じて、シャッター機能膜は、シャッター機能膜に入射される光を透過する状態と、光を遮断する状態とに切り替わる。【選択図】図１
2012037606.tif 000002
【特許請求の範囲】
【請求項１】
表示装置に表示される映像を視聴者に対し、当該映像を表示状態と非表示状態とに切り替えることが可能な左目用レンズおよび右目用レンズを有する表示状態変更用眼鏡であって、
上記左目用レンズおよび右目用レンズは、それぞれ、
透明基板と、当該透明基板上に配置された、シャッター機能膜を含むシャッター機能層と、を備え、
上記シャッター機能膜の光学定数は、上記シャッター機能膜への電圧印加の有無に起因して変動し、当該光学定数の変動に応じて、上記シャッター機能膜は、上記シャッター機能膜に入射される光を透過する状態と、当該光を遮断する状態とに切り替わることを特徴とする表示状態変更用眼鏡。
【請求項２】
上記シャッター機能層を複数備えることを特徴とする請求項１に記載の表示状態変更用眼鏡。
【請求項３】
上記透明基板の上記シャッター機能層側の主面は、凹凸形状を有することを特徴とする請求項１または２に記載の表示状態変更用眼鏡。
【請求項４】
上記シャッター機能膜は、酸化タングステンまたは酸化亜鉛からなることを特徴とする請求項１〜３のいずれか１項に記載の表示状態変更用眼鏡。
【請求項５】
上記シャッター機能層は、上記シャッター機能膜を挟むようにして配置された、２つの透明電極膜をさらに含むことを特徴とする請求項１〜４のいずれか１項に記載の表示状態変更用眼鏡。
【請求項６】
請求項１〜５のいずれか１項に記載の表示状態変更用眼鏡を着用する視聴者に対し、上記左目用レンズが表示状態で、且つ、上記右目用レンズが非表示状態であるときに、視聴者の左目用映像を表示すると共に、上記左目用レンズが非表示状態で、且つ、上記右目用レンズが表示状態であるときに、視聴者の右目用映像を表示することを特徴とする表示装置。
【発明の詳細な説明】
【技術分野】
【０００１】
本発明は、３次元映像を視聴するための表示状態変更用眼鏡、および、表示状態変更用眼鏡対応の表示装置に関するものである。
【背景技術】
【０００２】
近年、３次元（Three Dimensional）的な立体視を可能にする技術が急激に進歩し、映画やテレビにおける３次元映像技術が普及し始めている。このような３次元映像技術は、基本的に、左右の目の間隔によって生じる両眼視差を利用するものである。たとえば、３次元映像専用である、右目用映像および左目用映像を別々に表示させ、視聴者の右目および左目のそれぞれの目のみで視聴させることによって、３次元映像の視聴を実現することができる。
【０００３】
ところで、右目用映像および左目用映像をそのまま視聴者に見せた場合、当然のことながら、視聴者の両方の目に両方の映像が映ってしまうことになる。このため、右目用映像および左目用映像を、視聴者がそれぞれ別の目で別々に見ることができるように、視聴者の右目および左目の前に電気的な操作によって開閉する液晶シャッターをそれぞれの目の前に配置する、液晶シャッター眼鏡と、その液晶シャッター眼鏡を用いた３次元映像表示システムが提案されている（たとえば、特許文献１を参照）。
【０００４】
この３次元映像表示システムでは、一定の周期で右目用映像と左目用映像とが画面上に交互に切り替わりながら表示される。視聴者が装着している液晶シャッター眼鏡は、右目用映像と左目用映像との切り替わりのタイミングと同期して、その右目用液晶シャッターと左目用液晶シャッターの各々を、光透過状態と光遮断状態とに交互に切り替える。
【０００５】
視聴者は、このような液晶シャッター眼鏡を通して右目用映像および左目用映像をそれぞれ別の目で別々に見ることによって、それらの映像を基に立体視を行なうことが可能となる。
【０００６】
このような液晶シャッター眼鏡の右目用液晶シャッターおよび左目用液晶シャッターは、たとえば、図１２に示す液晶シャッター１００を用いることができる。図１２に示すように、この液晶シャッター１００では、偏光板１０１と、透明電極１０２と、液晶層１０３と、透明電極１０４と、偏光板１０５と、がこの順に配置されている。
【０００７】
この液晶シャッター１００では、透明電極１０２と透明電極１０４との間に、電源１０７からの電圧を印加することによって、液晶層１０３の液晶分子の配列方向を変化させる。たとえば、電源スイッチ１０６がオン（Ｏｎ）するとき、液晶層１０３の液晶分子の配列方向が変化し、光１１１ａは、偏光板１０１、透明電極１０２、液晶層１０３、透明電極１０４を通過した後、偏光板１０５によって遮断される。この場合、光１１１ａは、視聴者の目１１２には到達しない。つまり、このとき、この液晶シャッター１００は光遮断状態にある。
【０００８】
一方、電源スイッチ１０６がオフ（Ｏｆｆ）するとき、液晶層１０３の液晶分子の配列方向は変化せず、光１１１ｂは、偏光板１０１、透明電極１０２、液晶層１０３、透明電極１０４、偏光板１０５を、この順で透過し、視聴者の目１１２に到達する。つまり、このとき、この液晶シャッター１００は光透過状態にある。
【０００９】
この液晶シャッター１００のような、電圧を印加しないときに光透過状態となる液晶シャッターは「ノーマリホワイト」と呼ばれている。なお、この液晶シャッター１００とは逆に、電圧を印加しないときに光遮断状態となる液晶シャッターは「ノーマリブラック」と呼ばれている。
【００１０】
ここで、液晶シャッター１００の光透過／遮断動作について説明する。
【００１１】
液晶層１０３の液晶分子は、上で述べたように、透明電極１０２と透明電極１０４との間の電圧印加によって、その配列方向を変化させる。液晶層１０３は、この液晶分子の配列方向の変化によって、自身を通過する光の偏光方向を変化させることができる。
【００１２】
一方、偏光板１０１および偏光板１０５は、お互いに直角（９０度）ずれた偏光方向を持っている。偏光板１０１を通過した光は、その偏光方向が偏光板１０５の偏光方向と一致しない限り、偏光板１０５によって完全に遮断される。
【００１３】
たとえば、液晶層１０３は、電圧が印加されないとき自身を通過する光の偏光方向を変化させる一方、電圧が印加されたとき自身を通過する光の偏光方向を変化させないものとする。
【００１４】
この場合、電源スイッチ１０６がオンし、液晶層１０３に電圧が印加されると、液晶層１０３を通過した光１１１ａは、その偏光方向を変化させることなく、偏光板１０５に到達する。偏光板１０１を通過した光１１１ａの偏光方向は、偏光板１０１の偏光方向に一致している。このため、光１１１ａの偏光方向と偏光板１０５の偏光方向とは直角にずれることになり、その結果、光１１１ａは偏光板１０５によって遮断される。
【００１５】
一方、電源スイッチ１０６がオフし、液晶層１０３に電圧が印加されないと、液晶層１０３を通過した光１１１ｂは、液晶層１０３によってその偏光方向を変化させる。たとえば、液晶層１０３の液晶分子の配列方向に沿って、光１１１ｂの偏光方向が直角に変化したとする。このとき、光１１１ｂの偏光方向と偏光板１０５の偏光方向とが一致し、その結果、光１１１ｂは偏光板１０５を通過する。
【００１６】
また、ＰＬＺＴ（チタン酸ジルコン酸ランタン鉛）に電圧を印加すると、ＰＬＺＴの複屈折が変化する現象を利用し、そのＰＬＺＴと上で述べたような２枚の偏光板とを組み合わせた光シャッターも提案されている（たとえば、特許文献２を参照）。
【００１７】
この光シャッターは、上で述べたような液晶シャッター１００の液晶層１０３に代えて、ＰＬＺＴを利用したものである。ＰＬＺＴは電気的に光学的性能、つまり、複屈折率の変化を制御することができる。このような光シャッターにおいても、液晶シャッター１００と同様、電圧印加による光透過状態と光遮断状態との切り替えを実現することができる。
【先行技術文献】
【特許文献】
【００１８】
【特許文献１】特開平１１−９５１８６号公報（平成１１年４月９日公開）
【特許文献２】特開平６−２５０１３４号公報（平成６年９月９日公開）
【発明の概要】
【発明が解決しようとする課題】
【００１９】
視聴者が視聴する画面上に表示される映像には、さまざまな方向に偏光する光が混在しているのが通常である。
【００２０】
しかしながら、上で述べたような液晶シャッター１００や光シャッターでは、特定の偏光方向のみを通過させる偏光板を用いて、画面上に表示される映像をつくっているさまざまな方向の光のうち、その特定方向のみに偏光した光を抽出する必要がある。
【００２１】
このため、視聴者の目に到達する光は、画面上に表示される映像全体の光よりも弱くなり、その映像は暗いものとなってしまう。この場合、画面上における照度を高くし、映像の光を強くする必要があるが、そのことは光源が消費する電力の増大を招くといった課題があった。
【００２２】
さらに、画面上の光を強くした場合、当然のことながら、光源からの発熱も増大する。この場合、光源をできるだけ発熱の少ない高価なものにしなければならなくなったり、光源からの発熱を冷却する冷却装置が必要になったりし、３次元映像システム全体としての製造コストを増大させてしまうといった課題もあった。
【００２３】
また、液晶シャッター１００では、液晶層１０３を封入するためのシーリング処理が、光シャッタでは、ＰＬＺＴの両面に櫛型の透明電極を形成する処理が、それぞれ必要である。これらの処理は、非常に多くの製造工程を要するものであり、それらシャッターを用いた液晶シャッター眼鏡や光シャッター眼鏡の製造コストの増大を招くおそれがあるといった課題もあった。
【００２４】
特に、映画界においては、液晶シャッター眼鏡や光シャッター眼鏡の製造コストの増大は、その価格の上昇を招くことから、非常に憂慮すべき事柄である。大勢の観客にこのような眼鏡を配布することになるが、その価格が高くなればなるほど、観客からの眼鏡の回収を確実に行なう必要性が高まるからである。このことは、映画を上映する上映館にとっては人件費の高騰を招くことにつながるおそれがある。
【００２５】
本発明は、このような課題に鑑みてなされたものであり、消費電力および製造コストを低減することができる表示状態変更用眼鏡および表示状態変更用眼鏡対応の表示装置を提供することを目的とする。
【課題を解決するための手段】
【００２６】
上記目的を達成するために、本発明に係る表示状態変更用眼鏡は、表示装置に表示される映像を視聴者に対し、当該映像を表示状態と非表示状態とに切り替えることが可能な左目用レンズおよび右目用レンズを有する表示状態変更用眼鏡であって、上記左目用レンズおよび右目用レンズは、それぞれ、透明基板と、当該透明基板上に配置された、シャッター機能膜を含むシャッター機能層と、を備え、上記シャッター機能膜の光学定数は、上記シャッター機能膜への電圧印加の有無に起因して変動し、当該光学定数の変動に応じて、上記シャッター機能膜は、上記シャッター機能膜に入射される光を透過する状態と、当該光を遮断する状態とに切り替わる。
【００２７】
左目用レンズおよび右目用レンズのそれぞれのシャッター機能膜は、電圧が印加されたときに、たとえば光の吸収係数や屈折率といった光学定数が変動する特性を有している。シャッター機能膜は、この光学定数の変動によって、自身に入射される光を透過する状態と、その入射光を遮断する状態とを、実現し、切り替えることができる。
【００２８】
上記の表示状態変更用眼鏡では、このようなシャッター機能膜の特性を利用し、電圧を印加したりしなかったりすることにより、シャッター機能膜の光学定数を意図的に変動させ、そうすることにより、左目用レンズおよび右目用レンズのそれぞれを光透過状態と光遮断状態とで切り替えることができる。
【００２９】
このため、従来の液晶シャッターや光シャッターのように、光透過状態と光遮断状態とを切り替えるために必要であった偏光板を不要とすることができる。偏光板は、表示装置に表示される映像の光を弱めるものであり、偏光板を利用する場合、表示装置の照度を向上させる必要があった。上記の表示状態変更用眼鏡では、このような偏光板を不要となるため、表示装置の照度を従来よりも低下させることができるので、表示装置の光源の消費電力を低減することができる。
【００３０】
また、表示装置の光源を冷却する冷却装置も簡素化できるので、表示装置の製造コストを削減することができる。
【００３１】
さらに、表示状態変更用眼鏡自体の部品数も減らすことができるので、表示状態変更用眼鏡の製造コストも削減することができる。
【００３２】
なお、本明細書における遮断あるいは遮蔽は、物理的に光を透過させないことばかりでなく、実質的に映像の認識を不可にすることも意味する。
【００３３】
上記シャッター機能層を複数備えることが好ましい。
【００３４】
この場合、シャッター機能層を多層化することにより、電圧を印加するときと印加しないときで、より大きな光の透過率の変動幅が生じる。
【００３５】
このため、視聴者は、シャッター機能層が光遮断状態にあるとき、映像を認識することは実質不可とすることができる。
【００３６】
上記透明基板の上記シャッター機能層側の主面は、凹凸形状を有することが好ましい。
【００３７】
この場合、透明基板の凹凸形状がシャッター機能膜に反映され、シャッター機能層に入射する光がその凹凸形状によって乱反射する。
【００３８】
このため、シャッター機能膜が光遮断状態にあるときにおける、光の遮蔽率を向上させることができる。
【００３９】
上記シャッター機能膜は、酸化タングステンまたは酸化亜鉛からなることが好ましい。
【００４０】
この場合、シャッター機能膜に酸化タングステンまたは酸化亜鉛を用いることにより、上記の効果を実現することができる。
【００４１】
上記シャッター機能層は、上記シャッター機能膜を挟むようにして配置された、２つの透明電極膜をさらに含むことが好ましい。
【００４２】
この場合、簡素な構成によってシャッター機能膜に電圧を印加することができる。
【００４３】
本発明に係る表示装置は、上記表示状態変更用眼鏡を着用する視聴者に対し、上記左目用レンズが表示状態で、且つ、上記右目用レンズが非表示状態であるときに、視聴者の左目用映像を表示すると共に、上記左目用レンズが非表示状態で、且つ、上記右目用レンズが表示状態であるときに、視聴者の右目用映像を表示する。
【００４４】
上記の表示装置では、上記の表示状態変更用眼鏡を用いることにより、照度を従来よりも低下させることができるので、光源の消費電力を低減することができる。
【００４５】
また、光源を冷却する冷却装置も簡素化できるので、表示装置の製造コストを削減することができる。
【発明の効果】
【００４６】
本発明に係る表示状態変更用眼鏡は、表示装置に表示される映像を視聴者に対し、当該映像を表示状態と非表示状態とに切り替えることが可能な左目用レンズおよび右目用レンズを有する表示状態変更用眼鏡であって、上記左目用レンズおよび右目用レンズは、それぞれ、透明基板と、当該透明基板上に配置された、シャッター機能膜を含むシャッター機能層と、を備え、上記シャッター機能膜の光学定数は、上記シャッター機能膜への電圧印加の有無に起因して変動し、当該光学定数の変動に応じて、上記シャッター機能膜は、上記シャッター機能膜に入射される光を透過する状態と、当該光を遮断する状態とに切り替わる。
【００４７】
それゆえ、消費電力および製造コストを低減することができるという効果を奏する。
【図面の簡単な説明】
【００４８】
【図１】本発明の一実施形態に係る映像用眼鏡の外観を示す斜視図である。
【図２】上記映像用眼鏡の左側フレームの外観を示す側面図である。
【図３】上記映像用眼鏡の右側フレームの外観を示す側面図である。
【図４】上記映像用眼鏡の概略構成を示すブロック図である。
【図５】本発明の一実施形態に係る映像表示装置の概略構成を示すブロック図である。
【図６】上記映像用眼鏡の左目用レンズおよび右目用レンズのレンズ構造を示す断面図である。
【図７】上記レンズ構造の薄膜層部の概略構成を示す断面図である（光透過状態）。
【図８】上記レンズ構造の薄膜層部の概略構成を示す断面図である（光遮断状態）。
【図９】上記薄膜層部の一変形例の概略構成を示す断面図である。
【図１０】上記薄膜層部の一変形例の概略構成を示す断面図である。
【図１１】上記薄膜層部のシャッター機能膜の透過率特性を示すグラフ図である。
【図１２】従来の液晶シャッターの概略構成を示す断面図である。
【発明を実施するための形態】
【００４９】
本発明の一実施形態について図１〜図１１に基づいて説明すれば、以下の通りである。
【００５０】
（映像用眼鏡１０）
図１は、本発明の一実施形態に係る映像用眼鏡（表示状態変更用眼鏡）１０の外観を示す斜視図である。図２は、左側フレーム１２の外観を示す側面図である。図３は、右側フレーム１３の外観を示す側面図である。図１に示すように、本発明の一実施形態に係る映像用眼鏡１０は、正面フレーム１１と、左側フレーム１２と、右側フレーム１３と、左目用レンズ１４ａと、右目用レンズ１４ｂと、通信装置１５と、制御装置１８と、電源装置１９と、切替装置２０と、を備えている。
【００５１】
正面フレーム１１は、その左側の端部において左側フレーム１２と連結する一方、その右側の端部において右側フレーム１３と連結している。正面フレーム１１と左側フレーム１２との連結、および、正面フレーム１１と右側フレーム１３との連結には、たとえば、ヒンジ構造を用いることができる。それぞれの連結にヒンジ構造を用いることによって、左側フレーム１２および右側フレーム１３は、正面フレーム１１に対して折り畳むことが可能となる。
【００５２】
正面フレーム１１、左側フレーム１２および右側フレーム１３は、一体となって、映像用眼鏡１０のフレームを構成している。正面フレーム１１は、視聴者の鼻の上部に配置され、その位置が固定される。左側フレーム１２は、視聴者の左耳の上部に配置され、その位置が固定される。右側フレーム１３は、視聴者の右耳の上部に配置され、その位置が固定される。
【００５３】
正面フレーム１１、左側フレーム１２および右側フレーム１３の材料は、たとえば、公知の眼鏡に好適な金属、プラスチック等を用いることができる。映像用眼鏡１０を着用する視聴者の快適さの観点からは、重量の軽い材料が好ましい。
【００５４】
左目用レンズ１４ａは、正面フレーム１１の左側開口部に嵌め込まれている。同様に、右目用レンズ１４ｂは、正面フレーム１１の右側開口部に嵌め込まれている。左目用レンズ１４ａおよび右目用レンズ１４ｂは共に、後述するレンズ構造を有している。左目用レンズ１４ａおよび右目用レンズ１４ｂは、そのレンズ構造を有することによって、それぞれに入射される光を、電圧印加の有無に応じて、透過したり、遮断したりすることが可能となっている。すなわち、左目用レンズ１４ａおよび右目用レンズ１４ｂは、電圧印加の有無によって、２つの状態、すなわち、光を透過する状態（以下、「光透過状態（表示状態）」と呼ぶ）と、光を遮断する状態（以下、「光遮断状態（非表示状態）」と呼ぶ）と、の間を遷移するシャッター機能を有するものである。以下、左目用レンズ１４ａおよび右目用レンズ１４ｂに印加される電圧を「レンズ電圧」と呼ぶ。
【００５５】
左目用レンズ１４ａおよび右目用レンズ１４ｂは、切替装置２０と電気的に接続されており、切替装置２０を介して、上で述べた電圧がそれぞれに印加されることになる。左目用レンズ１４ａおよび右目用レンズ１４ｂのそれぞれと、切替装置２０とを電気的に接続する金属配線は、切替装置２０が正面フレーム１１の内部に設けられた場合であれば、正面フレーム１１の内部に埋め込んでおけばよい。正面フレーム１１の外側から見られることが無くなり、映像用眼鏡１０の美観を損なうことが無くなる。もちろん、そのような金属配線は、正面フレーム１１の表面に設けても構わない。この場合、正面フレーム１１を成型する際の手間を省くことができる。正面フレーム１１の成型の後に、金属配線を配置することができるからである。
【００５６】
通信装置１５は、視聴者が映像用眼鏡１０を着用しつつ、視聴する映像を表示する映像表示装置（表示装置）との間におけるデータや情報等のやり取りを行なうためのものである。通信装置１５は、たとえば、無線通信や有線通信を用いることによって、映像表示装置との間における、双方向のやり取りを実現する。
【００５７】
通信装置１５は、正面フレーム１１における、左目用レンズ１４ａおよび右目用レンズ１４ｂのそれぞれが埋め込まれた２つの開口部に挟まれた位置に設けられている。この位置は、視聴者が映像表示装置に映し出される映像に視線を向けるとき、常時、映像表示装置と対向する。たとえば、通信装置１５が映像表示装置と無線通信を行なう場合であれば、通信装置１５がこの位置に設けられることによって、通信装置１５と映像表示装置との間の無線通信を良好に行なうことができる。視聴者から映像表示装置へ視線を向けたとき、両者の間に無線通信の障害となるような物体が存在しないと考えられるからである。
【００５８】
通信装置１５は、電源装置１９と電気的に接続されており、電源装置１９から供給される電源電圧を用いて、上で述べような処理を実行する。通信装置１５と、電源装置１９とを電気的に接続する金属配線は、電源装置１９が左側フレーム１２の内部に設けられた場合であれば、正面フレーム１１および左側フレーム１２の各内部に埋め込んでおけばよい。正面フレーム１１や左側フレーム１２の外側から金属配線が見られることが無くなり、映像用眼鏡１０の美観を損なうことが無くなる。もちろん、そのような金属配線は、正面フレーム１１や左側フレーム１２の表面に設けても構わない。この場合、正面フレーム１１や左側フレーム１２を成型する際の手間を省くことができる。正面フレーム１１や左側フレーム１２の成型の後に、金属配線を配置することができるからである。
【００５９】
制御装置１８は、左目用レンズ１４ａおよび右目用レンズ１４ｂのそれぞれにおける、上で述べたシャッター機能を制御するものである。左目用レンズ１４ａおよび右目用レンズ１４ｂは、それぞれ、自身に入射される光を透過する光透過状態と、その光を遮断する光遮断状態との間において遷移する、シャッター機能を有している。このシャッター機能は、電圧印加の有無によって、制御されるものであり、制御装置１８はまさに、左目用レンズ１４ａおよび右目用レンズ１４ｂのそれぞれに対する、上記電圧印加の有無を制御するものである。
【００６０】
制御装置１８は、映像表示装置からの指示に従って、左目用レンズ１４ａおよび右目用レンズ１４ｂのそれぞれに対する電圧印加の有無の切り替えを制御する。たとえば、映像表示装置は、視聴者が自身の左目で見るべき左目用映像を表示するとき、左目用レンズ１４ａが光透過状態となり、右目用レンズ１４ｂが光遮断状態となるよう、制御装置１８に指示する。一方、映像表示装置は、視聴者が自身の右目で見るべき右目用映像を表示するとき、右目用レンズ１４ｂが光透過状態となり、左目用レンズ１４ａが光遮断状態となるよう、制御装置１８に指示することになる。
【００６１】
具体的には、制御装置１８は、通信装置１５を用いて、映像表示装置から送信される、レンズ状態変更信号を受信する。このレンズ状態変更信号は、左目用レンズ１４ａおよび右目用レンズ１４ｂのそれぞれについて、光透過状態とするタイミング、および、光遮断状態とするタイミングを規定する信号である。制御装置１８は、このレンズ状態変更信号を基に、上で述べたような、左目用レンズ１４ａにおける光透過状態と光遮断状態との切り替えと、右目用レンズ１４ｂにおける光透過状態と光遮断状態との切り替えとが実現されるよう、左目用レンズ１４ａおよび右目用レンズ１４ｂのそれぞれへの電圧印加の有無を制御する。
【００６２】
レンズ状態変更信号は、たとえば、左目用レンズ１４ａのための第１の信号と、右目用レンズ１４ｂのための第２の信号と、から構成されていてもよい。この場合、たとえば、第１の信号がハイレベルの期間を左目用レンズ１４ａに電圧を印加する期間とし、第１の信号がロウレベルの期間を左目用レンズ１４ａに電圧を印加しない期間とすればよい。そして、第１の信号がハイレベルからロウレベルへ、および、ロウレベルからハイレベルへ、それぞれ遷移するタイミングにおいて、左目用レンズ１４ａへの電圧印加の有無を切り替えればよい。
【００６３】
同様に、第２の信号がハイレベルの期間を右目用レンズ１４ｂに電圧を印加する期間とし、第２の信号がロウレベルの期間を右目用レンズ１４ｂに電圧を印加しない期間とすればよい。そして、第２の信号がハイレベルからロウレベルへ、および、ロウレベルからハイレベルへ、それぞれ遷移するタイミングにおいて、右目用レンズ１４ｂへの電圧印加の有無を切り替えればよい。
【００６４】
もちろん、第１の信号および第２の信号のそれぞれのハイレベル期間およびロウレベル期間は、映像表示装置が表示する映像が左目用映像である期間と、映像表示装置が表示する映像が右目用映像である期間とに応じて決定されることはいうまでもない。たとえば、映像表示装置が左目用映像を表示する期間であれば、左目用レンズ１４ａが光透過状態となり、右目用レンズ１４ｂが光遮断状態となるように、第１の信号および第２の信号のいずれか一方をハイレベル期間とし、他方をロウレベル期間とするがの如くである。
【００６５】
このようにして制御装置１８は、右目用映像および左目用映像を、視聴者がそれぞれ別の目で別々に見ることができるように、映像表示装置が表示する右目用映像と左目用映像との切り替わりのタイミングと同期して、左目用レンズ１４ａおよび右目用レンズ１４ｂの各々を、光透過状態と光遮断状態とに交互に切り替える。
【００６６】
制御装置１８は、右側フレーム１３に設けられている。後述するように、電源装置１９は左側フレーム１２に設けられており、制御装置１８と電源装置１９とはバランスよく左右に分かれて設けられている。この場合、映像用眼鏡１０を着用する視聴者にしてみれば、左側フレーム１２と右側フレーム１３とにバランスよく重量がかかり、視聴者は、映像用眼鏡１０を安定的に着用することが可能となる。また、いずれか一方の耳のみに重量が大きくかかることは無くなるので、視聴者は映像用眼鏡１０を長く着用しても、その着用による耳の痛みが出ることを少なくなる。もちろん、制御装置１８と電源装置１９とが、左側フレーム１２および右側フレーム１３の一方のみに設けられていても構わない。
【００６７】
制御装置１８は、電源装置１９と電気的に接続されており、電源装置１９から供給される電源電圧を用いて、上で述べような処理を実行する。制御装置１８と、電源装置１９とを電気的に接続する金属配線は、電源装置１９が左側フレーム１２の内部に設けられた場合であれば、左側フレーム１２、正面フレーム１１および右側フレーム１３の各内部に埋め込んでおけばよい。左側フレーム１２や正面フレーム１１、右側フレーム１３の外側から金属配線が見られることが無くなり、映像用眼鏡１０の美観を損なうことが無くなる。もちろん、そのような金属配線は、左側フレーム１２や正面フレーム１１、右側フレーム１３の表面に設けても構わない。この場合、左側フレーム１２や正面フレーム１１、右側フレーム１３を成型する際の手間を省くことができる。左側フレーム１２や正面フレーム１１、右側フレーム１３の成型の後に、金属配線を配置することができるからである。
【００６８】
また、制御装置１８は、通信装置１５および切替装置２０と通信可能となるように接続されている。制御装置１８と、通信装置１５と、切替装置２０とをお互いに結び合う通信回線についても、正面フレーム１１および右側フレーム１３の各内部に埋め込んでおいてもよいし、正面フレーム１１および右側フレーム１３の表面に設けても構わない。それぞれの設け方の効果は、上記金属配線の場合と同様である。
【００６９】
制御装置１８は、たとえば、各種プログラムの命令を処理するＣＰＵ（図示省略）と、左目用レンズ１４ａおよび右目用レンズ１４ｂへの電圧印加の有無を制御するためのプログラム等が格納されているＲＯＭ（図示省略）と、一時記憶のデータを格納するＲＡＭ（図示省略）と、を用いればよい。
【００７０】
電源装置１９は、左側フレーム１２に設けられており、通信装置１５、制御装置１８および切替装置２０のそれぞれに電源電圧を供給するものである。電源装置１９は、たとえば、ＤＣ電源部１６と、ＡＣ電源部１７とを備えていればよい。ＤＣ電源部１６は、小型のボタン電池等のバッテリーを用いることができる。ＡＣ電源部１７は、家庭等に供給されているＡＣ電源に電源ケーブルを介して接続される。電源装置１９は、ＤＣ電源部１６およびＡＣ電源部１７を備えることによって、映像用眼鏡１０における電源供給の汎用性を高め、映像用眼鏡１０を利用する視聴者の利便性を向上させている。もちろん、電源装置１９は、ＤＣ電源部１６およびＡＣ電源部１７のいずれか一方のみを備えるものであってももちろん構わない。いずれか一方のみとすることにより、映像用眼鏡１０を軽量化できるというメリットがある。
【００７１】
切替装置２０は、上で述べたように、電源装置１９と電気的に接続され、電源電圧の供給を受けている。切替装置２０は、電源装置１９から供給される電源電圧を基に、左目用レンズ１４ａおよび右目用レンズ１４ｂのそれぞれに印加するレンズ電圧を生成し、それぞれに印加する。
【００７２】
切替装置２０は、上で述べたように、制御装置１８と接続されており、制御装置１８から左目用レンズ１４ａおよび右目用レンズ１４ｂへの各レンズ電圧の印加の有無に関し、指示を受ける。たとえば、制御装置１８は、映像表示装置からレンズ状態変更信号を受け取ると、そのレンズ状態変更信号を基に切替装置２０に上記指示を行なう。
【００７３】
具体的には、制御装置１８は、レンズ状態変更信号を基に、左目用レンズ１４ａおよび右目用レンズ１４ｂのそれぞれへの、各レンズ電圧を印加する期間（以下、「レンズ電圧印加期間」と呼ぶ）および各レンズ電圧を印加しない期間（以下、「レンズ電圧印加停止期間」と呼ぶ）を表わすレンズ電圧印加信号を生成し、そのレンズ電圧印加信号を切替装置２０に出力すればよい。
【００７４】
ここで、レンズ電圧印加信号は、レンズ状態変更信号と同様、たとえば、左目用レンズ１４ａのための第１の信号と、右目用レンズ１４ｂのための第２の信号と、から構成されていてもよい。この場合、たとえば、第１の信号がハイレベルの期間を左目用レンズ１４ａに電圧を印加する期間とし、第１の信号がロウレベルの期間を左目用レンズ１４ａに電圧を印加しない期間とすればよい。そして、第１の信号がハイレベルからロウレベルへ、および、ロウレベルからハイレベルへ、それぞれ遷移するタイミングにおいて、左目用レンズ１４ａへの電圧印加の有無を切り替えればよい。
【００７５】
同様に、第２の信号がハイレベルの期間を右目用レンズ１４ｂに電圧を印加する期間とし、第２の信号がロウレベルの期間を右目用レンズ１４ｂに電圧を印加しない期間とすればよい。そして、第２の信号がハイレベルからロウレベルへ、および、ロウレベルからハイレベルへ、それぞれ遷移するタイミングにおいて、右目用レンズ１４ｂへの電圧印加の有無を切り替えればよい。
【００７６】
切替装置２０は、制御装置１８からレンズ電圧印加信号を受け取ると、そのレンズ電圧印加信号を基に、左目用レンズ１４ａのレンズ電圧印加期間においては左目用レンズ１４ａにレンズ電圧を印加し、左目用レンズ１４ａのレンズ電圧印加停止期間においては左目用レンズ１４ａにレンズ電圧を印加しなければよい。同様に、切替装置２０は、右目用レンズ１４ｂのレンズ電圧印加期間においては右目用レンズ１４ｂにレンズ電圧を印加し、右目用レンズ１４ｂのレンズ電圧印加停止期間においては右目用レンズ１４ｂにレンズ電圧を印加しなければよい。
【００７７】
切替装置２０は、正面フレーム１１における、左目用レンズ１４ａおよび右目用レンズ１４ｂのそれぞれが埋め込まれた２つの開口部に挟まれた位置の上方に設けられている。この位置は、左目用レンズ１４ａおよび右目用レンズ１４ｂのいずれにも近い距離である。このため、切替装置２０から左目用レンズ１４ａにレンズ電圧を供給する金属配線および、切替装置２０から右目用レンズ１４ｂにレンズ電圧を供給する金属配線のそれぞれの長さを短くすることができる。金属配線の短縮化はレンズ電圧の供給効率を向上させることから、切替装置２０による消費電力の低減化が図られる。
【００７８】
切替装置２０は、このような処理を、電源装置１９から供給される電源電圧を用いて実行する。
【００７９】
図４に、上述した左目用レンズ１４ａ、右目用レンズ１４ｂ、通信装置１５、制御装置１８、電源装置１９および切替装置２０のそれぞれの間における接続関係を示す。図４に示すように、電源装置１９は、金属配線２１を介して、通信装置１５、制御装置１８および切替装置２０のそれぞれと接続されている。電源装置１９は、ＤＣ電源部１６やＡＣ電源部１７からの電源電圧を金属配線２１を介して通信装置１５、制御装置１８および切替装置２０のそれぞれに供給する。
【００８０】
また、通信装置１５、制御装置１８および切替装置２０は、お互いに通信回線２２を介して接続されており、情報やデータのやり取りが可能となっている。たとえば、通信装置１５は、映像表示装置から送信されて来るレンズ状態変更信号を通信装置１５が受信すると、通信回線２２を介してそのレンズ状態変更信号を制御装置１８に出力すればよい。制御装置１８は、通信装置１５からレンズ状態変更信号を受け取ると、そのレンズ状態変更信号を基に、レンズ電圧印加信号を生成し、通信回線２２を介してそのレンズ電圧印加信号を切替装置２０に出力すればよい。
【００８１】
切替装置２０は、金属配線２１を介して、左目用レンズ１４ａおよび右目用レンズ１４ｂのそれぞれと接続されている。切替装置２０は、制御装置１８から受け取るレンズ電圧印加信号を基にして、左目用レンズ１４ａへのレンズ電圧の印加の有無、および、右目用レンズ１４ｂへのレンズ電圧の印加の有無を、それぞれ切り替えることができる。
【００８２】
（映像表示装置５０）
図５は、映像表示装置（表示装置）５０の概略構成を示すブロック図である。映像表示装置５０は、視聴者が映像用眼鏡１０を着用しながら視聴する映像を表示する映像表示装置である。映像表示装置５０は、３次元映像専用である、右目用映像および左目用映像を別々に表示させ、映像用眼鏡１０を着用する視聴者の右目および左目のそれぞれの目のみで視聴させることによって、３次元映像の視聴を実現するものである。
【００８３】
映像表示装置５０は、図５に示すように、映像表示装置５０は、各種プログラムの命令を処理するＣＰＵ５１と、映像表示装置５０の制御プログラムなどが格納されているＲＯＭ５２と、ＣＰＵ５１が行なう演算の途中結果等を一時的に記憶する、高速に書き込み読み出しが可能なＲＡＭ５３と、記録再生装置６１との通信を行なうＩ／Ｆ装置５４と、映像用眼鏡１０との通信を行なう通信装置５５と、映像用眼鏡１０を着用する視聴者からの各種指示が入力される入力装置５６と、ＨＤＤ５７と、表示条件ＤＢ５８と、ディスプレイ装置５９と、これら各部間を互いに接続するバス６０と、を有している。
【００８４】
ＣＰＵ５１は、ＲＯＭ５２に格納されているプログラム、または、ＨＤＤ５７に格納されているプログラムか、ＲＡＭ５３に格納されたプログラムに従って各種の処理を実施する。また、ＣＰＵ５１は、ＲＡＭ５３による各処理に必要なデータを一時記憶する。ＣＰＵ５１は、映像表示装置５０全体の制御を行なう。
【００８５】
Ｉ／Ｆ装置５４は、記録再生装置６１と接続するためのＩ／Ｆである。Ｉ／Ｆ装置５４は、ＣＰＵ５１によって制御されている。たとえば、記録再生装置６１は、自身に挿入された情報記録媒体に記録されている情報を再生するためのものである。情報記録媒体には複数の右目用映像情報および左目用映像情報が記録されており、記録再生装置６１は、それら右目用映像情報および左目用映像情報を再生し、上で述べた右目用映像および左目用映像を映像表示装置５０に出力する。Ｉ／Ｆ装置５４は、記録再生装置６１から出力されて来る右目用映像および左目用映像を受け取り、たとえば、ＨＤＤ５７に記憶すればよい。
【００８６】
通信装置５５は、視聴者が着用する映像用眼鏡１０との間におけるデータや情報等のやり取りを行なうためのものである。通信装置５５は、たとえば、無線通信や有線通信を用いることによって、映像用眼鏡１０との間における、双方向のやり取りを実現する。
【００８７】
入力装置５６は、例えば、テンキー、キーボード等を備え、視聴者からの各種の指示やデータなどが入力される。入力装置５６は、視聴者によって入力された各指示やデータをＲＡＭ５３やＨＤＤ５７に格納する。
【００８８】
ＨＤＤ５７は、磁気メモリなどで構成され、例えば、ＣＰＵ５１による各種の処理に必要なプログラム群であるソフトウェアを格納する。なお、ＣＰＵ５１による各種の処理のソフトウェアを構成するプログラムは、あらかじめコンピュータに専用のハードウェアで組み込んでもよいし、ＲＯＭ５２やＨＤＤ５７にあらかじめ組み込んで提供してもよい。また、ＨＤＤ５７は、記録再生装置６１から出力されて来る右目用映像および左目用映像を記憶することができる。
【００８９】
表示条件ＤＢは、映像表示装置５０が記録再生装置６１から受け取った右目用映像および左目用映像をディスプレイ装置５９に表示する際における、その表示条件を予め記憶する。表示条件は、たとえば、右目用映像および左目用映像をディスプレイ装置５９に表示するときの照度が挙げられる。たとえば、映像表示装置５０が映像用眼鏡１０の種類によって異なる照度設定が必要となる場合、映像用眼鏡１０の種類に応じてディスプレイ装置５９の照度を調節することができるよう、その種類ごとの照度を表示条件として記憶しておけばよい。そうすることによって、不必要に照度を上げることがなくなり、ディスプレイ装置５９の光源の消費電力を低減することができる。
【００９０】
同様に、視聴者が映像用眼鏡１０を着用せずに、２次元映像を視聴する場合、３次元映像を視聴する場合と比較して、ディスプレイ装置５９の照度を低下させることができる。２次元映像を表示するときの照度を表示条件として記憶しておくことにより、視聴者が２次元映像を視聴するときに不必要に照度が高くなることがない。したがって、ディスプレイ装置５９の光源の消費電力を低減することができる。
【００９１】
ディスプレイ装置５９は、各種情報（データ）を出力するものであり、例えば、ＬＣＤ（液晶ディスプレイ）、ＰＤＰ（プラズマディスプレイパネル）、またはＣＲＴ（cathode-ray tube）ディスプレイ等を用いることができる。ディスプレイ装置５９は、ＨＤＤ５７に記憶された右目用映像および左目用映像を表示する。
【００９２】
次に、映像表示装置５０の動作について説明する。入力装置５６を介して３次元映像の表示指示が入力されると、ＣＰＵ５１は、ＨＤＤ５７に記憶されている右目用映像および左目用映像をディスプレイ装置５９に表示する。ＣＰＵ５１は、ディスプレイ装置５９による右目用映像と左目用映像との切り替わりのタイミングと同期する、上で述べたレンズ状態変更信号を生成する。ＣＰＵ５１は、通信装置５５を介して、そのレンズ状態変更信号を映像用眼鏡１０に送信する。
【００９３】
ＣＰＵ５１は、入力装置５６を介して映像用眼鏡１０の種類が入力されると、その種類に応じた照度をディスプレイ装置５９に設定する。ＣＰＵ５１は、その照度設定の際、表示条件ＤＢを参照し、映像用眼鏡１０の種類に適した照度を表示条件ＤＢに予め記憶されている表示条件を基に決定する。
【００９４】
映像用眼鏡１０の種類は、入力装置５６を用いて視聴者が入力してもよいし、通信装置５５を用いて映像用眼鏡１０の種類を特定するようにしてもよい。たとえば、ＣＰＵ５１は、映像用眼鏡１０に対し、自身の種類を表わす符合を要求すればよい。映像用眼鏡１０は、映像表示装置５０からその要求を受け取った場合、自身に予め与えられている上記符号を、映像表示装置５０に送信するようにすればよい。そうすることにより、視聴者の手間を省くことができる。
【００９５】
（左目用レンズ１４ａおよび右目用レンズ１４ｂ）
図６は、左目用レンズ１４ａおよび右目用レンズ１４ｂを構成するレンズ構造７０を示す断面図である。図６に示すように、レンズ構造１０は、映像表示装置５０が表示する映像の光が入射される側から順に配置された、透明基板７１と、薄膜層部（シャッター機能層）７２と、保護樹脂層７３と、を有している。
【００９６】
透明基板７１は、たとえば、ガラス等を用いることができる。透明基板７１は、映像表示装置５０が表示する映像の光をそのまま透過し、薄膜層部７２に入射させる。また、透明基板７１は、薄膜層部７２の強度を補強し、薄膜層部７２が歪んだり、割れてしまったりすることを防止している。左目用レンズ１４ａおよび右目用レンズ１４ｂは、この透明基板７１の強度によって、そのレンズ形状を保つことができる。
【００９７】
薄膜層部７２は、上で述べたように、レンズ電圧の印加の有無によって、光透過状態と光遮断状態との間を遷移する。薄膜層部７２は、後述するように、多数の薄膜層の積層構造を有している。各薄膜層は、強度的に脆く、そのため、上述したように、透明基板７１による強度の補強が必要となる。
【００９８】
保護樹脂層７３は、視聴者の目に対向する層である。保護樹脂層７３は、薄膜層部７２が透明基板７１から剥がれ落ちることを防止すると共に、薄膜層部７２に含まれる不純物等が視聴者の目に入り込むことを防止する。保護樹脂層７３は、たとえば、樹脂等を用いることができる。なお、透明基板７１が目に対向する構造であっても良い。
【００９９】
（薄膜層部７２）
図７および図８は、薄膜層部７２の概略構成を示す断面図である。特に、図７は、薄膜層部７２が光透過状態にあるときを示し、図８は、薄膜層部７２が光遮断状態にあるときを示している。
【０１００】
図７および図８に示すように、薄膜層部７２は、映像表示装置５０が表示する映像の光が入射される側から順に配置された、透明電極膜７２ａと、電解質膜７２ｂと、シャッター機能膜７２ｃと、透明電極膜７２ｄと、を有している。
【０１０１】
透明電極膜７２ａおよび透明電極膜７２ｄはそれぞれ、たとえば、ＩＴＯ膜を用いることができる。透明電極膜７２ａと透明電極膜７２ｄとの間には、上述したレンズ電圧が印加可能となっている。
【０１０２】
なお、図７および図８においては、切替装置２０の機能を説明するために、レンズ電圧を供給するレンズ電圧電源８１が、電源スイッチ８２を介して、透明電極膜７２ａと透明電極膜７２ｄとの間に接続されている。ここでは、電源スイッチ８２が制御装置１８から出力されるレンズ電圧印加信号に基づき、電源スイッチ８２がオン（Ｏｎ）またはオフ（Ｏｆｆ）することによって、レンズ電圧が透明電極膜７２ａと透明電極膜７２ｄとの間に印加されるものとする。切替装置２０は、このようなレンズ電圧電源８１および電源スイッチ８２の機能を備えるものであるということができる。
【０１０３】
電解質膜７２ｂは、たとえば、Ｔａ２Ｏ５膜を用いることができる。
【０１０４】
シャッター機能膜７２ｃは、たとえば、ＷＯ３（酸化タングステン）膜を用いることができる。ＷＯ３膜は、透明電極膜７２ａと透明電極膜７２ｄとの間にレンズ電圧が印加されると、可視光領域（４００〜８００ｎｍ）における吸収係数（光学定数）が増加する、言い換えると、可視光領域における透過率が低下する。たとえば、図１１に示すように、レンズ電圧を５Ｖとした場合、レンズ電圧を印加しないとき（電圧ゼロ）には８０％程度の透過率が、レンズ電圧を印加したとき（電圧印加）には４０％程度にまで低下する。
【０１０５】
シャッター機能膜７２ｃは、このようなＷＯ３膜の特性を利用することにより、上で述べた光透過状態と光遮断状態とを実現し、切り替えることができる。具体的には、レンズ電圧を印加の印加の有無によって、シャッター機能膜７２ｃの吸収係数を増減させる。レンズ電圧を印加せずに、吸収係数を小さくすることによって、光透過状態を実現し、一方、レンズ電圧を印加し、吸収係数を大きくすることによって、光遮断状態を実現する。
【０１０６】
たとえば、図７においては、電源スイッチ８２がオフし、透明電極膜７２ａと透明電極膜７２ｄとの間にはレンズ電圧は印加されていない。この場合、シャッター機能膜７２ｃは光透過状態となり、映像の光はシャッター機能膜７２ｃを透過し、視聴者の目９１に到達する。
【０１０７】
一方、図８においては、電源スイッチ８２がオンし、透明電極膜７２ａと透明電極膜７２ｄとの間にレンズ電圧が印加される。この場合、シャッター機能膜７２ｃは光遮断状態となり、映像の光はシャッター機能膜７２ｃを透過することができず、視聴者の目９１には届くことがない。
【０１０８】
このようにしてシャッター機能膜７２ｃは、自身の吸収係数の変化により、光透過状態と光遮断状態とを作り出すことができる。したがって、従来の液晶シャッター１００や光シャッターのように、光の偏光させる偏光板が不要となり、視聴者の目に届く光が暗くなるといった従来の課題が解消されることになる。
【０１０９】
シャッター機能膜７２ｃとしては、透過率の高い上記ＷＯ３膜（透過率Ｔ＝８０％以上）の他、ＺｎＯ（酸化亜鉛）膜（透過率Ｔ＝８０％以上）等の酸化金属を用いることができる。
【０１１０】
（薄膜層部７２の変形例１）
図９は、薄膜層部７２の変形例１の概略構成を示す断面図である。図９に示すように、この変形例１は、図７および図８に示した薄膜層部７２と同一の層を第１層目から第ｎ層目まで、順に積層させたものである。
【０１１１】
この変形例１では、各層の間に、各層を電気的に絶縁し、分離するための分離層８３が配置されている。隣接し合う２つの層の透明電極膜７２ａと透明電極膜７２ｄとが電気的に接触してしまうことを防止するためのである。たとえば、第１層目の透明電極膜７２ｄと第２層目の透明電極膜７２ａとの電気的接触を防止するための如くである。
【０１１２】
薄膜層部７２を多層化することにより、レンズ電圧を印加するときと印加しないときで、より大きな透過率の変動幅が生じる。この場合、視聴者は、薄膜層部７２が光遮断状態にあるとき、映像を認識することは実質不可となる。
【０１１３】
この変形例１では、たとえば、従来の液晶シャッター１００と比較すると、透過性能の低い偏光板や、液晶注入や、シーリング処理等が不要であり、且つ、光透過状態における透過率が高い（従来：１５％→変形例１：３３％（ＷＯ３膜が５層時））。したがって、低コストの光シャッター眼鏡を提供できる。
【０１１４】
また、分離層８３は必ずしも必要でなく、分離層８３の代わりにシャッター機能膜７２ｃ、電解質膜７２ｂが積層されていても良く、その場合更にコストを削減できる。
【０１１５】
なお、上記の構造は層番号で具体的に表現すると「・・・７２ａ，７２ｂ，７２ｃ，７２ｄ，７２ｃ，７２ｂ，７２ａ，７２ｂ，７２ｃ，７２ｄ・・・」である。
【０１１６】
（薄膜層部７２の変形例２）
図１０は、薄膜層部７２の変形例２の概略構成を示す断面図である。図１０に示すように、この変形例２は、図６に示した透明基板７１に予め凹凸を形成しておき、そうすることにより、薄膜層部７２にその凹凸を反映させたものである。透明基板７１の凹凸を形成するには、たとえば、透明基板７１にテクスチャーを設ければよい。
【０１１７】
シャッター機能膜７２ｃは、透明電極膜７２ａと透明電極膜７２ｄとの間へのレンズ電圧の印加の有無によって、その吸収係数と同時に、その屈折率（光学定数）も増減する。
【０１１８】
そこで、この変形例２では、このようなシャッター機能膜７２ｃの屈折率が変化する特性を利用し、シャッター機能膜７２ｃとその他の膜（透明電極膜７２ａ、電解質膜７２ｂ、透明電極膜７２ｄ）との屈折率差を大きくし、光の乱反射を生じさせる。そうすることにより、薄膜層部７２が光遮断状態にあるときにおける、光の遮蔽率を向上させることができる。
【０１１９】
なお、変形例２においては、シャッター機能膜７２ｃは、ＷＯ３膜でなくとも良い。たとえば、導電性ＺｎＯ（＝ＡＺＯ）（酸化亜鉛）膜を用いることできる。この導電性ＺｎＯ膜は、レンズ電圧を印加したときに発生する熱により、その屈折率が変化するため、ＷＯ３膜と同様に、上で述べた乱反射によるシャッター機能を実現することができる。
【０１２０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２１】
なお、本発明は、以下のようにも表現することができる。すなわち、本発明に係る表示状態変更用眼鏡は、表示装置に表示される映像を観賞者に対して表示・非表示の状態に変更することが可能な右目用シャッターおよび左目用シャッターを有する表示状態変更用眼鏡であって、上記表示状態変更用眼鏡には、映像を非表示にするためのシャッター機能を有するシャッター機能付レンズが設けられており、上記シャッター機能付きレンズは、透明基板と、上記透明基板上に設けられ、電圧印加により光学定数が変化するシャッター機能膜を含むシャッター層と、を含む。
【０１２２】
上記シャッター層が２層以上設けられていることが好ましい。
【０１２３】
上記透明基板の上記シャッター層が設けられる側の表面には、凹凸が設けられていることが好ましい。
【０１２４】
上記シャッター機能膜が、酸化タングステン又は酸化亜鉛であることが好ましい。
【０１２５】
表示装置に対して、表示される映像の照度を設定するための信号を発信する手段を有することが好ましい。
【０１２６】
本発明における表示装置は、上記表示変更眼鏡を用いて表示される映像を観賞者に対して表示・非表示の状態に変更することが可能な表示装置であって、鑑賞者が用いる表示変更眼鏡によって、映像の照度を変更できる手段を有している。
【産業上の利用可能性】
【０１２７】
本発明は、３次元映像専用である、右目用映像および左目用映像を別々に表示させ、視聴者の右目および左目のそれぞれの目のみで視聴させることによって、３次元映像の視聴を実現する映像用眼鏡、映像表示装置、および、それらを用いた映像表示システムに好適である。
【符号の説明】
【０１２８】
１０    映像用眼鏡（表示状態変更用眼鏡）
１１    正面フレーム
１２    左側フレーム
１３    右側フレーム
１４ａ    左目用レンズ
１４ｂ    右目用レンズ
１５    通信装置
１８    制御装置
１９    電源装置
２０    切替装置
５０    映像表示装置（表示装置）
７０    レンズ構造
７１    透明基板
７２    薄膜層部（シャッター機能層）
７２ａ、７２ｄ    透明電極膜
７２ｂ    電解質膜
７２ｃ    シャッター機能膜
７３    保護樹脂層
【図１】
2012037606.tif 000003
【図２】
2012037606.tif 000004
【図３】
2012037606.tif 000005
【図４】
2012037606.tif 000006
【図５】
2012037606.tif 000007
【図６】
2012037606.tif 000008
【図７】
2012037606.tif 000009
【図８】
2012037606.tif 000010
【図９】
2012037606.tif 000011
【図１０】
2012037606.tif 000012
【図１１】
2012037606.tif 000013
【図１２】
2012037606.tif 000014